(57)【特許請求の範囲】
【請求項１】
天板を、該天板が略水平をなす使用位置と、該天板が略垂直をなして起立する折畳位置と、の間で回動可能に脚体に支持し、前記天板の高さ位置を調節する昇降手段を前記各脚体の内部に設け、前記脚体の上部には、押圧されることで前記昇降手段を作動させる作動部が設けられるとともに、昇降操作部材が操作されることにより、前記作動部を押圧する押圧部材を前記天板側に設け、該天板が前記使用位置から回動すると、前記押圧部材が前記作動部から離間されて該作動部を押圧できなくなることを特徴とする折り畳み式昇降テーブル。
【請求項２】
前記天板側にスライド移動可能に設けられた係合部材から突出されて形成された係合爪部と、前記脚体の上部に設けられた受け部材に形成された被係合部と、が互いに係合することにより、前記天板を、前記使用位置または前記折畳位置で回動不能に固定できるロック手段が構成され、前記受け部材における前記被係合部同士の間に形成される空間部に、前記作動部と前記押圧部材とが配置されるようになっていることを特徴とする請求項１に記載の折り畳み式昇降テーブル。
【請求項３】
前記天板の下面には、前記受け部材側が開口されて前記受け部材を外嵌する略コ字形状をなす支持ブラケットが固着され、該支持ブラケットが前記受け部材に設けられた枢軸に枢支されることによって前記天板が支持されており、前記支持ブラケットの奥面には、前記係合部材が前記支持ブラケットに沿ってスライド移動可能に設けられることを特徴とする請求項２に記載の折り畳み式昇降テーブル。
【請求項４】
前記被係合部は、前記受け部材の前後位置に設けられ、後方側の被係合部よりも前方側に前記枢軸が設けられており、前記支持ブラケットの内側面において、前記天板が前記使用位置にあるときに、前記枢軸よりも前方側、及び前方側の被係合部よりも後方側の位置に、前記押圧部材が取り付けられることを特徴とする請求項３に記載の折り畳み式昇降テーブル。
【請求項５】
前記押圧部材は、前記支持ブラケットの内側面に固着される固定部と、該固定部に枢支されて前記作動部を押圧する押圧面を有する回動部と、で構成され、前記固定部と前記回動部とが略Ｌ字状をなすように配置されるとともに、前記係合部材が、前記固定部の側方でスライド移動されることを特徴とする請求項４に記載の折り畳み式昇降テーブル。
【発明の詳細な説明】
【技術分野】
【０００１】
本発明は、天板が略水平をなす使用位置と天板が略垂直をなして起立する折畳位置との間で、天板が回動可能になっているとともに、天板の高さを変更できる折り畳み式昇降テーブルに関する。
【背景技術】
【０００２】
従来、天板の上面が略水平をなす水平状態（使用位置）と天板の上面が略垂直をなす垂直状態（折畳位置）との間で、天板を回動可能にするとともに、使用者の身長や座高に配慮して、天板の高さを変更できるようにしたテーブルがある（例えば、特許文献１，２参照）。
【０００３】
【特許文献１】特開２００３−１４４２３３号公報（第３頁、第２図）
【特許文献２】特開２００６−３０５２１９号公報（第６頁、第１９図）
【発明の開示】
【発明が解決しようとする課題】
【０００４】
しかしながら、特許文献１，２に記載のテーブルにあっては、天板を回動させる機構と天板を昇降させる機構とが、それぞれ独立して作動するようになっているため、天板を回動させている最中に、誤操作により天板が昇降してしまう虞がある。
【０００５】
本発明は、このような問題点に着目してなされたもので、使用位置と折畳位置との間で天板が回動可能となっているとともに、天板の高さを変更できる折り畳み式昇降テーブルにおいて、天板を回動させている最中に天板が昇降してしまうことを防止できる折り畳み式昇降テーブルを提供することを目的とする。
【課題を解決するための手段】
【０００６】
前記課題を解決するために、本発明の請求項１に記載の折り畳み式昇降テーブルは、
天板を、該天板が略水平をなす使用位置と、該天板が略垂直をなして起立する折畳位置と、の間で回動可能に脚体に支持し、前記天板の高さ位置を調節する昇降手段を前記各脚体の内部に設け、前記脚体の上部には、押圧されることで前記昇降手段を作動させる作動部が設けられるとともに、昇降操作部材が操作されることにより、前記作動部を押圧する押圧部材を前記天板側に設け、該天板が前記使用位置から回動すると、前記押圧部材が前記作動部から離間されて該作動部を押圧できなくなることを特徴としている。
この特徴によれば、天板が使用位置から回動されると、天板の回動とともに、押圧部材が作動部から離間されて作動部を押圧できなくなり、昇降手段を作動させることができなくなるため、昇降手段は使用位置にあるときのみに作動して天板を昇降させることができ、天板が折畳位置にあるときや、天板を回動させている最中に、使用者の誤操作などによって、天板が誤って昇降してしまうことを防止できる。
【０００７】
本発明の請求項２に記載の折り畳み式昇降テーブルは、請求項１に記載の折り畳み式昇降テーブルであって、
前記天板側にスライド移動可能に設けられた係合部材から突出されて形成された係合爪部と、前記脚体の上部に設けられた受け部材に形成された被係合部と、が互いに係合することにより、前記天板を、前記使用位置または前記折畳位置で回動不能に固定できるロック手段が構成され、前記受け部材における前記被係合部同士の間に形成される空間部に、前記作動部と前記押圧部材とが配置されるようになっていることを特徴としている。
この特徴によれば、係合爪部が係合部材から突出されるため、作動部と押圧部材とを配置する受け部材の空間部の寸法を確保できるようになり、かつ係合部材と受け部材とで構成されるロック手段と、作動部及び押圧部材とをコンパクトに集中して配置できる。
【０００８】
本発明の請求項３に記載の折り畳み式昇降テーブルは、請求項２に記載の折り畳み式昇降テーブルであって、
前記天板の下面には、前記受け部材側が開口されて前記受け部材を外嵌する略コ字形状をなす支持ブラケットが固着され、該支持ブラケットが前記受け部材に設けられた枢軸に枢支されることによって前記天板が支持されており、前記支持ブラケットの奥面には、前記係合部材が前記支持ブラケットに沿ってスライド移動可能に設けられることを特徴としている。
この特徴によれば、支持ブラケットにより係合部材が覆われて、係合部材のスライド移動が支持ブラケットに沿ってスムーズに案内されるようになり、かつ天板が使用位置にあるときには、支持ブラケットにより受け部材を隠蔽することができる。
【０００９】
本発明の請求項４に記載の折り畳み式昇降テーブルは、請求項３に記載の折り畳み式昇降テーブルであって、
前記被係合部は、前記受け部材の前後位置に設けられ、後方側の被係合部よりも前方側に前記枢軸が設けられており、前記支持ブラケットの内側面において、前記天板が前記使用位置にあるときに、前記枢軸よりも前方側、及び前方側の被係合部よりも後方側の位置に、前記押圧部材が取り付けられることを特徴としている。
この特徴によれば、押圧部材を、枢軸や前後の被係合部や支持ブラケットの奥面に配置される係合部材と干渉しないように配置できる。
【００１０】
本発明の請求項５に記載の折り畳み式昇降テーブルは、請求項４に記載の折り畳み式昇降テーブルであって、
前記押圧部材は、前記支持ブラケットの内側面に固着される固定部と、該固定部に枢支されて前記作動部を押圧する押圧面を有する回動部と、で構成され、前記固定部と前記回動部とが略Ｌ字状をなすように配置されるとともに、前記係合部材が、前記固定部の側方でスライド移動されることを特徴としている。
この特徴によれば、固定部と回動部と係合部材とを支持ブラケット内にコンパクトに配置でき、互いの動作が干渉しないで済むようになる。
【発明を実施するための最良の形態】
【００１１】
本発明に係る折り畳み式昇降テーブルを実施するための最良の形態を実施例に基づいて以下に説明する。
【実施例１】
【００１２】
本発明の実施例を図面に基づいて説明すると、先ず図１は、実施例１におけるテーブルを示す斜視図であり、図１（ａ）は、天板が折畳位置にあるときのテーブルを示す斜視図であり、図１（ｂ）は、天板が使用位置にあるときのテーブルを示す斜視図であり、図２（ａ）は、天板が下方位置にあるときのテーブルを示す正面図であり、図２（ｂ）は、天板が上方位置にあるときのテーブルを示す正面図であり、図３は、脚体の構造を示す縦断側面図であり、図４は、天板が使用位置にあるときの係合部材と受け部材を示す縦断側面図であり、図５は、天板が折畳位置にあるときの係合部材と受け部材を示す縦断側面図であり、図６は、係合部材と受け部材と押圧部材とを示す図４におけるＡ−Ａ縦断背面図であり、図７は、テーブルを示す底面図であり、図８は、連結杆を示す図７におけるＢ−Ｂ縦断側面図であり、図９は、ロック用ワイヤーと係合部材の配設状態を示す斜視図であり、図１０は、ロック操作部材と支持ブラケットとを示す斜視図であり、図１１は、テーブルの構成を示す概念図である。以下、図１（ａ）及び図１（ｂ）の紙面右下側をテーブルの正面側（前方側）とし、図３、図４、図５、図８の紙面左側をテーブルの正面側（前方側）とし、図７の紙面上側をテーブルの正面側（前方側）として説明する。尚、本実施例では、天板において、この天板が使用位置にあるときに正面側に配置される天板の端部を、天板の前端部側（前方側）として以下に説明する。
【００１３】
図１（ａ）及び図１（ｂ）の符号１は、本発明の適用された折り畳み式昇降テーブルである。このテーブル１は、１枚の天板２と、左右に離間して設けられた２本の脚体３と、を有している。脚体３の下部には、前後方向に延びる基部ブラケット４が設けられ、この基部ブラケット４の前端部及び後端部には、床面に設置されるキャスター５が取り付けられている。そのため使用者は、テーブル１を自在に走行させることができる。
【００１４】
また、天板２は、左右側部に設けられた脚体３に対して枢支された支持ブラケット６によって、天板２が略水平をなす使用位置と（図１（ｂ）参照）、天板２が略垂直をなして起立する折畳位置と（図１（ａ）参照）、の間で回動可能に支持されている。このテーブル１は、天板２が使用位置にあるときに、任意の場所に設置して使用でき、かつ天板２が折畳位置にあるときに、任意の場所に設置して収納できるようになっている。尚、天板２を立設させることで、複数のテーブル１を近接させて収納させておくことができる。
【００１５】
図１（ａ）に示すように、天板２は、使用位置または折畳位置にて回動不能にロック（固定）されるようになっており、このロック状態を解除できるロック操作部７が、支持ブラケット６よりも側方位置における天板２の側端部近傍に設けられている。後述するように、使用者は、ロック操作部７の本実施例におけるロック操作部材としてのロック操作レバー８を天板２の側端部に向かって天板２に対して平行に移動させることで、ロック状態を解除できる。
【００１６】
更に、図２（ａ）及び図２（ｂ）に示すように、このテーブル１は、天板２を低くした下方位置と（図２（ａ）参照）、天板２を高くした上方位置と（図２（ｂ）参照）、の間で天板２の高さ位置を任意に調節できるようになっている。
【００１７】
天板２の前端部近傍には、天板２を昇降させる際に、使用者が操作する昇降操作部９が設けられている（図１（ａ）参照）。使用者は、昇降操作部９の本実施例における昇降操作部材としての昇降操作レバー１０を天板２の前端部に向かって天板２に対して平行に移動させた状態を維持しつつ、天板２を持ち上げたり下げたりすることで、天板２の高さ位置を自在に変更できるようになっている。
【００１８】
図３に示すように、脚体３は、上部に天板２が設けられて昇降される昇降杆１１と、床面に設置されて昇降杆１１を支持する支持杆１２と、を有している。昇降杆１１及び支持杆１２は略円筒形状をなし、支持杆１２の上部には、開口部１３が形成されるとともに、支持杆１２は、開口部１３から昇降杆１１を昇降自在に内嵌している。
【００１９】
尚、昇降杆１１と支持杆１２との間には、昇降杆１１の外周面と支持杆１２の内周面とに接触する転動体（図示略）を有するリニア軸受部材（図示略）が配置されており、昇降杆１１はスムーズに昇降されるようになっている。更に尚、左右に配置された支持杆１２は、その上部近傍に接続された連結杆１４により互いに連結されており、この連結杆１４は、脚体３の間で略直線状に延設されている。
【００２０】
また、昇降杆１１の内部には、本実施例における昇降手段としてのガススプリング１５が設けられている。ガススプリング１５は、ガス（空気）を封入させたシリンダ１６と、このシリンダ１６内部に配置され、シリンダ１６の下端部から出し入れされるピストンロッド１７と、を有している。ピストンロッド１７を出し入れすることで、ガススプリング１５の上下長さが変更可能となっている。
【００２１】
尚、ピストンロッド１７は、ガススプリング１５の上端部に設けられた本実施例における作動部としてのプッシュロッド１８が押圧されることにより動作し、ガススプリング１５の上下長さを任意に変更させることができる。このガススプリング１５の上下長さの変化とともに、昇降杆１１も上下に昇降される。また、ガススプリング１５の上下長さの固定とともに、昇降杆１１の高さ位置も固定される。
【００２２】
昇降杆１１の上部には、受け部材１９が固着されており、この受け部材１９に設けられた枢軸に、支持ブラケット６が回動自在に枢支されている。この支持ブラケット６は天板２の下面に固着されている。天板２は支持ブラケット６を介して回動可能に支持されている。支持ブラケット６における前後方向の略中央部は、縦断背面視で下方（受け部材１９側）に開口される略コ字形状をなし、天板２が折畳位置にあるときに受け部材１９を外嵌するようになっている（図６参照）。
【００２３】
図３に示すように、支持ブラケット６の中央部には、支持ブラケット６に沿って前後方向にスライド移動される係合部材２０が設けられている。尚、係合部材２０には、上下方向に貫通された前後方向に長い２つの長孔２０ａが形成され、この長孔２０ａに支持ブラケット６の奥面に固着された支持部材２１が配置されることにより、係合部材２０が前後方向にスライド移動可能に支持ブラケット６に取り付けられる。
【００２４】
係合部材２０には、前後一対の係合爪部２０ｂ，２０ｃが下方に突出されている。受け部材１９の前端部及び後端部には、各係合爪部２０ｂ，２０ｃが各々係合される前後一対の被係合部１９ｂ，１９ｃが形成されている。また、後方側の被係合部１９ｃは、受け部材１９の後端部から下方に延設された垂下片となっている。
【００２５】
尚、前方側の被係合部１９ｂが後方側の被係合部１９ｃよりも枢軸２２に対して離間して配置されている。更に、本実施例では、係合部材２０の係合爪部２０ｂ，２０ｃと、受け部材１９の被係合部１９ｂ，１９ｃと、が互いに係合することにより、天板２を、使用位置または折畳位置で回動不能に固定できるロック手段が構成されている。
【００２６】
また、支持ブラケット６には、係合部材２０を前方向（係合方向）に付勢する本実施例における付勢部材としてのコイルバネ２３が設けられている。このコイルバネ２３の付勢力によって、前方側の被係合部１９ｂと係合爪部２０ｂ、または後方側の被係合部１９ｃと係合爪部２０ｃのいずれか一方側が互いに係合される。尚、使用者がロック操作レバー８を操作することで、係合部材２０はコイルバネ２３の付勢力に抗して後方向（離脱方向）に移動されるようになっている。
【００２７】
次に、ロック操作部７について詳述する。図９及び図１０は、天板２が折畳位置にあるときのロック操作部７をテーブル１の背面側から見た状態を示している。尚、図９及び図１０は、理解を助けるために天板２を図示せずに、該天板２の上面側から見た状態を示している。
【００２８】
図１０に示すように、支持ブラケット６には、折畳位置にあるときに支持ブラケット６における上部側となる部位に、左右両方側に開口する本実施例における開口部としての切欠部２４が形成されている。この切欠部２４の外方側となる側方にロック操作部７が近接されて配置されている。
【００２９】
尚、ロック操作部７は、使用者が天板２の側端部に親指をかけながら、その他の指でロック操作レバー８を把持できる位置に取り付けられている。そのため後述するように、天板２を回動させる際に、使用者は片手でロック操作レバー８を把持したまま天板２を回動させることができる。
【００３０】
ロック操作部７は、枠体２５を有し、この枠体２５内でロック操作レバー８がスライド移動される。ロック操作レバー８には、リンク部材２６を介してロック用ワイヤー２７が接続されており、このロック用ワイヤー２７を介してロック操作レバー８が係合部材２０と連係されている。
【００３１】
尚、ロック操作レバー８には、２本のロック用ワイヤー２７が接続され、それぞれのロック用ワイヤー２７が左右の支持ブラケット６内に配置された係合部材２０まで延設されている（図１１参照）。更に尚、このロック用ワイヤー２７は、ロック用ワイヤー２７を覆う筒部材（図示略）内に挿設されており、ロック操作レバー８を操作した際には、筒部材（図示略）内でロック用ワイヤー２７が移動されるようになっている。
【００３２】
図１０に示すように、ロック操作レバー８から延設されるロック用ワイヤー２７は、枠体２５から延設されて切欠部２４に対して一方側から挿設されて他方側まで延設され、支持ブラケット６に沿って係合部材２０の係合方向と逆方向、つまり天板２の後端部側に向かって延設される。
【００３３】
尚、図２（ｂ）及び図７に示すように、使用位置にて、天板２の下面側における前後方向（幅方向）の略中央部には、左右の脚体３の間に略直線状に延設される本実施例における第１収容部としてのカバー体２８が固着されている（図１（ａ）参照）。更に尚、カバー体２８は縦断側面視で上方に開口する略コ字形状をなしており、ロック用ワイヤー２７、及び後述する昇降用ワイヤー２９を内部に保持することができる。
【００３４】
図９に示すように、枠体２５から延設されたロック用ワイヤー２７は、天板２の下面に取り付けられたカバー体２８まで延設され、カバー体２８内部で各ロック用ワイヤー２７は、それぞれカバー体２８の左右端部まで延設される。そして、ロック用ワイヤー２７は、係合部材２０の係合方向、つまり天板２の前端部側に向かって延設される。そして、ロック用ワイヤー２７の端部が係合部材２０とを接続される。
【００３５】
使用者がロック操作レバー８を把持することで、２本のロック用ワイヤー２７を介して使用者の把持力が伝達され、左右の係合部材２０が同時にスライド移動される。すなわち２本のロック用ワイヤー２７によって、係合部材２０のスライド移動が同期されるようになっている。この２本のロック用ワイヤー２７が、本実施例におけるロック同期手段を構成している。
【００３６】
図４に示すように、天板２が使用位置にあるときには、前方側の被係合部１９ｂと係合爪部２０ｂとが係合されることで、天板２が回動不能にロックされている。使用者がロック操作レバー８を操作することで、係合部材２０が後方向（後端部側）に移動されて、前方側の被係合部１９ｂから係合爪部２０ｂが離脱されて、支持ブラケット６が受け部材１９の枢軸２２を中心として回動できるようになる。
【００３７】
そして、使用者は天板２を折畳位置まで回動させて立設させる。折畳位置にて、使用者がロック操作レバー８から手を放すと、コイルバネ２３の付勢力により係合部材２０が上方向（係合方向）にスライド移動され、天板２の下方側（後端部側）の係合爪部２０ｃは、後方側の被係合部１９ｃ（垂下片）に対して下方側から係合される（図５参照）。
【００３８】
図５に示すように、天板２が折畳位置にあるときには、後方側の被係合部１９ｃと係合爪部２０ｃとが係合されることで、天板２が回動不能にロックされている。使用者がロック操作レバー８を操作することで、係合部材２０が下方向（後端部側）に移動されて、後方側の被係合部１９ｃから係合爪部２０ｃが離脱されて、支持ブラケット６が受け部材１９の枢軸２２を中心として回動できるようになる。
【００３９】
そして、使用者は天板２を使用位置まで回動させて水平にさせる。使用位置にて、使用者がロック操作レバー８から手を放すと、コイルバネ２３の付勢力により係合部材２０が前方向（係合方向）にスライド移動され、天板２の前方側（前端部側）の係合爪部２０ｂは、前方側の被係合部１９ｂに対して後方側から係合され（図４参照）。
【００４０】
尚、本実施例では、使用者は、天板２が使用位置（または折畳位置）にあるときに、ロック操作レバー８を操作し、天板２が折畳位置（または使用位置）になったときに、ロック操作レバー８から手を放すようにしているが、使用位置（または折畳位置）でロックが解除され、天板２を回動し始めたときに、ロック操作レバー８から手を放すようにしてもよく、前後の係合爪部２０ｂ，２０ｃには、その先端部にテーパ面が形成されているため、自動的に係合爪部２０ｂ，２０ｃが被係合部１９ｂ，１９ｃに係合されるようになっている。
【００４１】
また、天板２の下面と受け部材１９との間には、エアダンパー３０が設けられている。そのため天板２を回動させる際の回動速度を一定に保つことができ、天板２を折畳位置から使用位置に戻す際などには、安全に天板２を回動させることができる。
【００４２】
次に、天板２の昇降操作について詳述する。図７に示すように、天板２の前端部近傍に設けられた昇降操作部９の構成は、前述したロック操作部７と同一構成になっている。尚、昇降操作部９は、使用者が天板２の前端部に親指をかけながら、その他の指で昇降操作レバー１０を把持できる位置に取り付けられている。そのため後述するように、天板２を昇降させる際に、使用者は片手で昇降操作レバー１０を把持したまま天板２を昇降させることができる。
【００４３】
昇降操作部９の昇降操作レバー１０には、昇降用ワイヤー２９が接続されており、この昇降用ワイヤー２９は、天板２の下面に取り付けられたカバー体２８まで延設され、カバー体２８内部で各昇降用ワイヤー２９は、それぞれカバー体２８の左右端部まで延設される。そして、昇降用ワイヤー２９の端部は、支持ブラケット６内に導入される（図９参照）。尚、昇降用ワイヤー２９は、昇降用ワイヤー２９を覆う筒部材（図示略）内に挿設されており、昇降操作レバー１０を操作した際には、筒部材（図示略）内で昇降用ワイヤー２９が移動されるようになっている。
【００４４】
図４及び図６に示すように、支持ブラケット６と受け部材１９との間には、空間部３１が形成されている。この空間部３１において、受け部材１９における前後の被係合部１９ｂ，１９ｃ同士の間の位置に、ガススプリング１５のプッシュロッド１８が配置され、このプッシュロッド１８の上方位置には、このプッシュロッド１８を押圧することができる押圧部材３２が配置される。
【００４５】
尚、前述したように、被係合部１９ｂ，１９ｃは、受け部材１９の前後位置に設けられ、後方側の被係合部１９ｃよりも前方側に枢軸２２が設けられており、支持ブラケット６の内側面において、天板２が使用位置にあるときに、枢軸２２よりも前方側、及び前方側の被係合部１９ｂよりも後方側の位置に、押圧部材３２が取り付けられている。
【００４６】
押圧部材３２は、支持ブラケット６の内側面に固着される薄板状をなす固定部３３と、この固定部３３に枢支されてプッシュロッド１８を押圧する押圧面３４ａを有する回動部３４と、で構成されている。また、固定部３３と回動部３４とが背面視（正面視）で略Ｌ字状をなすように配置されるとともに、固定部３３の側方位置、及び回動部３４の上方位置の空間部３１内で、係合部材２０がスライド移動されるようになっている。
【００４７】
昇降用ワイヤー２９の端部は、押圧部材３２の回動部３４と連係されており、使用者が昇降操作レバー１０を把持することで、２本の昇降用ワイヤー２９を介して使用者の把持力が伝達され、左右の押圧部材３２の回動部３４が同時に回動するようになっている。
【００４８】
そして、回動部３４が回動されることで、押圧面３４ａがプッシュロッド１８を押圧し、ガススプリング１５の上下長さを任意に変更させることができ、このガススプリング１５の上下長さの変化とともに、昇降杆１１も上下に昇降される。すなわち使用者が昇降操作レバー１０を把持した状態で天板２の高さ位置を変更させることができる。尚、回動部３４の押圧面３４ａは、プッシュロッド１８を押圧し易いように左右方向に幅広な部材となっている。
【００４９】
尚、固定部３３と回動部３４との間には、回動部３４をプッシュロッド１８から離間される方向に回動付勢する付勢手段としてのバネ部材（図示略）が設けられている。そのため使用者が昇降操作レバー１０から手を放すと、バネ部材（図示略）による回動付勢力によって、回動部３４がプッシュロッド１８から離間される方向に回動されて、回動部３４の押圧面３４ａがプッシュロッド１８から離間され、ガススプリング１５の上下長さが変更不能となり、天板２の高さ位置が固定されるようになっている。
【００５０】
更に尚、天板２が使用位置から折畳位置に向けて回動すると、支持ブラケット６が受け部材１９から離間されるとともに、押圧部材３２もプッシュロッド１８から離間されるようになる。そのため天板２が使用位置にあるとき以外の状態では、使用者が昇降操作レバー１０を把持して回動部３４が回動されても、回動部３４の押圧面３４ａはプッシュロッド１８を押圧できなくなる。
【００５１】
本実施例のテーブル１では、左右のガススプリングの作動、すなわち昇降杆１１の上下動を同期させる昇降同期手段が設けられており、この昇降同期手段によって、左右に配置される昇降杆１１は、それぞれ同じ移動量で上下方向に移動できるようになっている。そのため天板２の高さ位置を変更する際には、天板２の水平状態が保たれるようになっている。
【００５２】
次に、昇降同期手段について詳述する。図１１の概念図に示すように、本実施例における昇降同期手段は、左右の各昇降杆１１の下部に接続された昇降同期用ワイヤー３５と、連結杆１４に設けられて各昇降同期用ワイヤー３５に接続されたラック３６と、各ラック３６に噛合されるピニオン３７と、で構成されている（図７の部分拡大図参照）。
【００５３】
図７に示すように、各昇降同期用ワイヤー３５は、連結杆１４に沿って延設されており、昇降同期用ワイヤー３５は、昇降同期用ワイヤー３５を覆う筒部材３８内に挿設されており、昇降杆１１が昇降される際には、筒部材３８内で昇降同期用ワイヤー３５が移動されるようになっている。
【００５４】
連結杆１４には、２本のラック３６の左右方向の移動を案内するガイドレール３９が設けられている。図８に示すように、連結杆１４は、縦断側面視において、下向きに開口した略コ字形状をなしており、この連結杆１４の下面（奥面）にガイドレール３９が固着されている。尚、図７に示すように、筒部材３８は、ガイドレール３９の左右端部から支持杆１２の上端部まで延設されるとともに、それぞれのラック３６に接続された昇降同期用ワイヤー３５が、ガイドレール３９の端部から筒部材３８内に挿設されている。
【００５５】
より詳しく説明すると、図９に示すように、連結杆１４の左右端部には、支持杆１２の上端部まで下方に傾斜される傾斜部材１２’が取り付けられている。この傾斜部材１２’には、前述した開口部１３が形成されているとともに、傾斜部材１２’は、天板２が下方位置または上方位置のいずれであっても、昇降杆１１に固着された受け部材１９よりも下方位置に配置されるようになっている（図２（ａ）及び図２（ｂ）参照）。
【００５６】
また、昇降同期用ワイヤー３５が挿設された筒部材３８は、傾斜部材１２’に形成されたスリット孔１２ａから傾斜部材１２’内部に延設され、傾斜部材１２’に沿って支持杆１２の上端部まで傾斜されて延設されており、スリット孔１２ａから支持杆１２の内部に昇降同期用ワイヤー３５が挿設されるようになっている。
【００５７】
このように、傾斜部材１２’を介して連結杆１４が支持杆１２の上端部に固着されることで、連結杆１４の下面が支持杆１２の上端部よりも上方位置に配置されるとともに、連結杆１４の下面から案内される昇降同期用ワイヤー３５が、昇降杆１１の受け部材１９よりも下方位置で延設されるようになる。そのため昇降同期用ワイヤー３５が受け部材１９と確実に離間し、受け部材１９まで延設されるロック用ワイヤー２７と昇降同期用ワイヤー３５とが、互いに干渉し合うことを確実に防止できる。
【００５８】
図２（ｂ）に示すように、ラック３６とピニオン３７（伝達手段）を収容する連結杆１４が本実施例における第２収容部を構成している。更に尚、前述した第１収容部であるカバー体２８と連結杆１４は、それぞれ左右方向に延びて天板２の下方の空間に配置され、かつ天板２が使用位置または折畳位置のいずれにあっても、カバー体２８が連結杆１４よりも上方位置に配置される。
【００５９】
図１１に示すように、各昇降杆１１が昇降される際には、昇降杆１１の移動とともに、昇降同期用ワイヤー３５を介してラック３６がガイドレール３９に沿って移動される。そして、両方のラック３６の移動量（移動距離）がピニオン３７によって同期される。すなわち昇降同期手段によって、一方の昇降同期用ワイヤー３５の移動量と同じ移動量を他方の昇降同期用ワイヤー３５に伝達するようになっている。
【００６０】
以上、本実施例におけるテーブル１では、天板２を、天板２が略水平をなす使用位置と、天板２が略垂直をなして起立する折畳位置と、の間で回動可能に脚体３に支持し、天板２の高さ位置を調節するガススプリング１５を各脚体３の内部に設け、脚体３の上部には、押圧されることでガススプリング１５を作動させるプッシュロッド１８が設けられるとともに、昇降操作レバー１０が操作されることにより、プッシュロッド１８を押圧する押圧部材３２を天板２側に設け、天板２が使用位置から回動すると、押圧部材３２がプッシュロッド１８から離間されてプッシュロッド１８を押圧できなくなることで、天板２が使用位置から回動されると、天板２の回動とともに、押圧部材３２がプッシュロッド１８から離間されてプッシュロッド１８を押圧できなくなり、ガススプリング１５を作動させることができなくなるため、プッシュロッド１８は使用位置にあるときのみに作動して天板２を昇降させることができ、天板２が折畳位置にあるときや、天板２を回動させている最中に、使用者の誤操作などによって、天板２が誤って昇降してしまうことを防止できる。
【００６１】
また、天板２側にスライド移動可能に設けられた係合部材２０から突出されて形成された係合爪部２０ｂ，２０ｃと、脚体３の上部に設けられた受け部材１９に形成された被係合部１９ｂ，１９ｃと、が互いに係合することにより、天板２を、使用位置または折畳位置で回動不能に固定できるロック手段が構成され、受け部材１９における被係合部１９ｂ，１９ｃ同士の間に形成される空間部３１に、プッシュロッド１８と押圧部材３２とが配置されるようになっていることで、係合爪部２０ｂ，２０ｃが係合部材２０から突出されるため、プッシュロッド１８と押圧部材３２とを配置する受け部材１９の空間部３１の寸法を確保できるようになり、かつ係合部材２０と受け部材１９とで構成されるロック手段と、プッシュロッド１８及び押圧部材３２とをコンパクトに集中して配置できる。
【００６２】
また、天板２の下面には、受け部材１９側が開口されて受け部材１９を外嵌する略コ字形状をなす支持ブラケット６が固着され、支持ブラケット６が受け部材１９に設けられた枢軸２２に枢支されることによって天板２が支持されており、支持ブラケット６の奥面には、係合部材２０が支持ブラケット６に沿ってスライド移動可能に設けられることで、支持ブラケット６により係合部材２０が覆われて、係合部材２０のスライド移動が支持ブラケット６に沿ってスムーズに案内されるようになり、かつ天板２が使用位置にあるときには、支持ブラケット６により受け部材１９を隠蔽することができる。
【００６３】
また、被係合部１９ｂ，１９ｃは、受け部材１９の前後位置に設けられ、後方側の被係合部１９ｃよりも前方側に枢軸２２が設けられており、支持ブラケット６の内側面において、天板２が使用位置にあるときに、枢軸２２よりも前方側、及び前方側の被係合部１９ｂよりも後方側の位置に、押圧部材３２が取り付けられることで、押圧部材３２を、枢軸２２や前後の被係合部１９ｂ，１９ｃや支持ブラケット６の奥面に配置される係合部材２０と干渉しないように配置できる。
【００６４】
また、押圧部材３２は、支持ブラケット６の内側面に固着される固定部３３と、この固定部３３に枢支されてプッシュロッド１８を押圧する押圧面３４ａを有する回動部３４と、で構成され、固定部３３と回動部３４とが略Ｌ字状をなすように配置されるとともに、係合部材２０が、固定部３３の側方でスライド移動されることで、固定部３３と回動部３４と係合部材２０とを支持ブラケット６内にコンパクトに配置でき、互いの動作が干渉しないで済むようになる。
【実施例２】
【００６５】
次に、実施例２に係るテーブルにつき、図１２から図１３を参照して説明する。尚、前記実施例に示される構成部分と同一構成部分に付いては同一符号を付して重複する説明を省略する。図１２は、実施例２におけるテーブルの構成を示す概念図であり、図１３は、係合部材と受け部材とを示す斜視図であり、図１４は、支持ブラケットと脚体とを示す斜視図である。
【００６６】
図１２に示すように、実施例１におけるテーブル１’では、２本のロック用ワイヤー２７を用いてロック同期手段を構成していたが、実施例２におけるテーブル１’は、実施例１におけるテーブル１’と異なり、左右に配置された係合部材２０同士を連結棒４０によって連結し、この連結棒４０によって、係合部材２０のスライド移動が同期されるようになっている。この連結棒４０が、本実施例におけるロック同期手段を構成している。
【００６７】
図１３は、天板２が使用位置にあるときの係合部材２０をテーブル１’の上面側から見た状態を示している。尚、図１３は、理解を助けるために天板２を図示せずに、該天板２の上面側から見た状態を示している。
【００６８】
図１３に示すように、係合部材２０の前後方向の略中央部には、左右方向に延びる連結棒４０が固着されている。同様の連結棒４０が他方の係合部材２０にも固着されている。左右に配置された係合部材２０の内、一方の係合部材２０が前後方向にスライド移動されると、連結棒４０を介して連結された他方の係合部材２０も前後方向にスライド移動されるようになっている。
【００６９】
図１１に示すように、実施例２では、ロック操作部７から延設されるロック用ワイヤー２７が１本のみとなっており、このロック用ワイヤー２７は、左側に配置された係合部材２０に接続されている。すなわち使用者がロック操作部７を操作すると、左側に配置された係合部材２０が作動するとともに、連結棒４０を介して右側に配置された係合部材２０も作動するようになっている。
【００７０】
尚、この連結棒４０は、天板２の下面に固着された本実施例における第１収容部としてのカバー体２８内に収容されている。このようにカバー体２８内部に連結棒４０が収容されることで、テーブル１’の使用中に使用者の膝等が連結棒４０に当たってしまい、係合部材２０が誤作動する虞がない。
【００７１】
図１４に示すように、実施例２の支持ブラケット６’は、長手方向の全長に渡って、断面視で受け部材１９側に開口される略コ字形状をなしている。支持ブラケット６’には、折畳位置にあるときに支持ブラケット６’における上部側となる部位に、左右両方側に開口する本実施例における開口部としての孔部４１が形成されている。
【００７２】
ロック操作レバー８から延設されるロック用ワイヤー２７は、孔部４１内に挿設され、支持ブラケット６’に沿って係合部材２０の係合方向と逆方向、つまり天板２の後端部側に向かって延設されてから、係合部材２０の係合方向、つまり天板２の前端部側に向かって延設され、ロック用ワイヤー２７の端部が係合部材２０とを接続される。
【００７３】
また、支持ブラケット６’の前端部側には、長孔４２が形成されており、この長孔４２に沿ってスライド移動される保護カバー４３が設けられている。この保護カバー４３の他端は、受け部材１９の前端部に枢着されている。この保護カバー４３により常に係合部材２０と受け部材１９とが隠蔽されるとともに、係合部材２０と受け部材１９との間に異物が挟まる虞がない。
【００７４】
以上、本発明の実施例を図面により説明してきたが、具体的な構成はこれら実施例に限られるものではなく、本発明の要旨を逸脱しない範囲における変更や追加があっても本発明に含まれる。
【００７５】
例えば、前記実施例では、前記実施例では、天板２における一方の側端部近傍にロック操作部７を設ける構成となっているが、左右両方の側端部近傍にロック操作部７を設け、左右の支持ブラケット６内に配置される係合部材２０の動作を、ロック用ワイヤー２７や連結棒４０などによって同期させる構成とし、左右のいずれか一方のロック操作部７した際に、左右両方の係合部材２０が動作するようにしてもよい。
【図面の簡単な説明】
【００７６】
【図１】実施例１におけるテーブルを示す斜視図であり、（ａ）は、天板が折畳位置にあるときのテーブルを示す斜視図であり、（ｂ）は、天板が使用位置にあるときのテーブルを示す斜視図である。
【図２】（ａ）は、天板が下方位置にあるときのテーブルを示す正面図であり、（ｂ）は、天板が上方位置にあるときのテーブルを示す正面図である。
【図３】脚体の構造を示す縦断側面図である。
【図４】天板が使用位置にあるときの係合部材と受け部材を示す縦断側面図である。
【図５】天板が折畳位置にあるときの係合部材と受け部材を示す縦断側面図である。
【図６】係合部材と受け部材と押圧部材とを示す図４におけるＡ−Ａ縦断背面図である。
【図７】テーブルを示す底面図である。
【図８】連結杆を示す図７におけるＢ−Ｂ縦断側面図である。
【図９】ロック用ワイヤーと係合部材の配設状態を示す斜視図である。
【図１０】ロック操作部材と支持ブラケットとを示す斜視図である。
【図１１】テーブルの構成を示す概念図である。
【図１２】実施例２におけるテーブルの構成を示す概念図である。
【図１３】係合部材と受け部材とを示す斜視図である。
【図１４】支持ブラケットと脚体とを示す斜視図である。
【符号の説明】
【００７７】
１，１’          テーブル
２                天板
３                脚体
６，６’          支持ブラケット
７                ロック操作部
８                ロック操作レバー（ロック操作部材）
９                昇降操作部
１０              昇降操作レバー（昇降操作部材）
１１              昇降杆
１２              支持杆
１３              開口部
１４              連結杆（第２収容部）
１５              ガススプリング（昇降手段）
１８              プッシュロッド（作動部）
１９              受け部材
１９ｂ，１９ｃ    被係合部
２０              係合部材
２０ｂ，２０ｃ    係合爪部
２２              枢軸
２３              コイルバネ（付勢部材）
２４              切欠部（開口部）
２７              ロック用ワイヤー（ロック同期手段）
２８              カバー体（第１収容部）
２９              昇降用ワイヤー
３１              空間部
３２              押圧部材
３３              固定部
３４              回動部
３４ａ            押圧面
３５              昇降同期用ワイヤー（昇降同期手段）
３６              ラック（昇降同期手段）
３７              ピニオン（昇降同期手段）
３９              ガイドレール
４０              連結棒（ロック同期手段）
４１              孔部（開口部）
【図１】
0005102085.tif 000002
【図２】
0005102085.tif 000003
【図３】
0005102085.tif 000004
【図４】
0005102085.tif 000005
【図５】
0005102085.tif 000006
【図６】
0005102085.tif 000007
【図７】
0005102085.tif 000008
【図８】
0005102085.tif 000009
【図９】
0005102085.tif 000010
【図１０】
0005102085.tif 000011
【図１１】
0005102085.tif 000012
【図１２】
0005102085.tif 000013
【図１３】
0005102085.tif 000014
【図１４】
0005102085.tif 000015